(57)【要約】【課題】アクセサリーの制御情報を光学機器本体が外部メモリより読みだす事により高速な処理ができ、更に最新で最適な制御情報によりアクセサリーを制御する事を可能にした光学機器を提供する。【解決手段】第１の制御部と第１の記憶手段を有するアクセサリーを着脱可能であって、第２の制御部と、第２の記憶手段と、着脱可能で第３の記憶手段を装着可能な装着機構を有し、第３の記憶手段が前記装着機構に装着された時に、アクセサリーの制御情報が格納されているかどうかを確認し、アクセサリー制御情報が格納されている際には、第３の記憶手段に記録されているアクセサリーの制御情報の全データが第２の記憶手段に転送可能か判断し、全データ転送可能な際には第２の記憶手段にデータを転送し、全データ転送が不可の際には、其々のアクセサリー制御情報に優先順位を付けて第２の記憶手段に転送を行う。【選択図】図１
2016014799.tif 000002
【特許請求の範囲】
【請求項１】
第１の制御部と第１の制御部の制御に使用される制御情報を格納する第１の記憶手段を有するアクセサリーを着脱可能であって、
第１の制御部と通信可能な第２の制御部と、第２の制御部と通信可能な第２の記憶手段と、着脱可能で第２の制御部と通信可能な第３の記憶手段を装着可能な装着機構を有する光学機器であって、
第２の制御部は第３の記憶手段が前記装着機構に装着された時に、第３の記憶手段に１つ以上のアクセサリーの制御情報が格納されているかどうかを判断し、
アクセサリー制御情報が格納されている際には、第３の記憶手段に記録されているアクセサリーの制御情報の全データが第２の記憶手段に転送可能か判断し、全データ転送可能な際には第２の記憶手段にデータを転送し、
全データ転送が不可の際には、其々のアクセサリー制御情報に優先順位を付け、優先順位の高い順に可能な範囲で第２の記憶手段に転送を行うことを特徴とする光学機器。
【請求項２】
前記第３の記憶手段には、前記第１の記憶手段に記録されている第１のアクサセリーを制御する第１の制御情報、または第１の制御情報とは異なる一つ以上の第１のアクセサリーを制御する制御情報が記録されていることを特徴とする請求項１に記載の光学機器。
【請求項３】
前記第２の記憶手段に転送可能かどうかの判断は、第２の記憶手段の空き容量に応じて判断するか、前記第３の記憶手段に記録されているアクセサリーの制御情報の全容量に応じて判断することを特徴とする請求項１又は請求項２に記載の光学機器。
【請求項４】
前記第２の記憶手段に、前記第３の記憶手段に記録されているアクセサリーの制御情報の全てを転送出来ない場合に、優先順位を付けて転送する際の優先順位の付け方は、アクセサリーの使用頻度、アクセサリーの使用日時、ユーザーの選択、及び光学機器の種類により行うことを特徴とする請求項１乃至請求項３の何れか一項に記載の光学機器。
【請求項５】
第１の記憶手段、及び第２の記憶手段は、不揮発性メモリ単体や、ＣＰＵ内部に組み込まれている不揮発性メモリ領域であることを特徴とする請求項１乃至請求項４の何れか一項に記載の光学機器。
【請求項６】
請求項１乃至請求項４の何れか一項に記載のアクセサリー制御情報は、光学データであることを特徴とする光学機器。
【発明の詳細な説明】
【技術分野】
【０００１】
本発明は、一般に、制御情報を新たに取得する光学機器、アクセサリー、及び光学機器に装着可能な外部メモリに関し、特にアクセサリーの制御における制御情報の取得及び更新に関するものである。
【背景技術】
【０００２】
従来から、アクセサリー（レンズユニットやストロボユニット等）、及び外部メモリ  （不揮発性メモリ）が着脱可能なカメラとして、レンズ交換式カメラは知られている。前記アクセサリーをカメラに接続することにより。カメラの機能を拡張することができる。これらの光学機器の高機能化に伴い、複雑な制御をＣＰＵとファームウェアにより実行している。
【０００３】
レンズ交換可能なカメラシステム若しくはアクセサリーを着脱自在なカメラシステムに置いては、交換レンズ若しくはアクセサリーからの情報に基づき、カメラ本体が種々の演算や制御を行うのが一般的である。
【０００４】
特許文献１には、オートフォーカス動作や露出動作に必要な各種データをレンズ内のＲＯＭに記憶させておき、カメラ本体側でその動作を行う際に交換レンズと通信を行って、そのデータを読み出すようにした技術が開示されている。
【０００５】
また、特許文献２には、レンズ内に蓄積されているデータの全てを、交換レンズの装着時または電源投入時に読み出して、カメラ本体内の記憶手段に記憶するようにした技術が開示されている。
【０００６】
更に、特許文献３には、レンズ内に蓄積されているデータの全てもしくは一部を、交換レンズの装着時または電源投入時に読み出して、カメラ本体内の記憶手段に記憶するようにした技術が開示されている。
【先行技術文献】
【特許文献】
【０００７】
【特許文献１】特公平５−５９４１１号公報
【特許文献２】特許第２８６８２２６号明細書
【特許文献３】特開２００７−１２９５６３号公報
【発明の概要】
【発明が解決しようとする課題】
【０００８】
しかしながら、上述した特許文献１に記載の技術では、カメラ本体と交換レンズとのデータ通信が、各動作に於いてタイムラグとなり、カメラシステムとしての高速性を損なってしまうという課題を有している。
【０００９】
また、上記特許文献２に記載の技術は、レンズ装着時に大量のデータ通信が行われるため、レンズ装着が完了してから撮影可能な状態になるまでに大幅な時間がかかってしまうという課題を有している。
【００１０】
更に上記特許文献１乃至３では、アクセサリー内のメモリよりデータを読み出しているので、そのアクセサリーの製造後に開発されたカメラに搭載されている、最新方式での制御データに対応することが出来ない。
【００１１】
そこで本発明の目的は、光学機器本体と本体に着脱可能なアクセサリー、及び本体に着脱可能な外部メモリからなり、アクセサリーの制御情報を光学機器本体が外部メモリより読みだす事により高速な処理ができ、更に最新で最適な制御情報によりアクセサリーを制御する事を可能にした光学機器を提供することである。
【課題を解決するための手段】
【００１２】
上記目的を達成するために、本発明に係る光学機器の構成は、第１の制御部と第１の制御部の制御に使用される制御情報を格納する第１の記憶手段を有するアクセサリーを着脱可能であって、第１の制御部と通信可能な第２の制御部と、第２の制御部と通信可能な第２の記憶手段と、着脱可能で第２の制御部と通信可能な第３の記憶手段を装着可能な装着機構を有する光学機器であって、第２の制御部は第３の記憶手段が前記装着機構に装着された時に、第３の記憶手段に１つ又は複数のアクセサリーの制御情報が格納されているかどうかを確認し、アクセサリー制御情報が格納されている際には、第３の記憶手段に記録されているアクセサリーの制御情報の全データが第２の記憶手段に転送可能か判断し、全データ転送可能な際には第２の記憶手段にデータを転送し、全データ転送が不可の際には、其々のアクセサリー制御情報に優先順位を付けて第２の記憶手段に転送を行うことを特徴とする。
【発明の効果】
【００１３】
本発明によれば、光学機器本体と本体に着脱可能なアクセサリーからなる光学機器システムにおいて、アクセサリーの制御情報を光学機器本体がアクセサリー装着前に外部メモリより読みだす事により高速な処理が可能となる。更にカメラに最適で最新の制御情報によりアクセサリーを制御する事が可能な光学機器システムを提供する事が出来る。
【図面の簡単な説明】
【００１４】
【図１】レンズ交換式デジタルカメラの構成図
【図２】フローチャートメモリに格納されている情報を示すブロック図
【図３】外部メモリ１３２または第二のフラッシュメモリに記録されているアクセサリー情報を示す図
【図４】データ転送時の優先順位を示す図
【図５】データ転送時の優先順位を示す図
【発明を実施するための形態】
【００１５】
以下に、本発明の好ましい実施の形態を、添付の図面に基づいて詳細に説明する。図１は、本発明の実施形態にかかわる光学機器システムである。
【００１６】
（実施例１）
以下、図１を参照して、本発明の第１の実施例による、光学機器システムについて説明する。図１はレンズ交換式デジタルカメラ１００の構成を示すブロック図である。レンズ交換式デジタルカメラ１００は、レンズ側ユニットであるレンズユニット１０１と、レンズユニット１０１が着脱可能なカメラ側ユニットであるカメラ本体１０２とを有する。レンズユニット１０１は、入射光を収束、結像する光学系と、光学系を制御する制御系と、接続部とを有する。
【００１７】
光学系は、第一の固定レンズ１０３、変倍レンズ１０４、絞り１０５、第二の固定レンズ１０７、フォーカスレンズ１０８を有する。フォーカスレンズ１０８はピント調節と変倍によるピント位置の補正を行う。レンズユニット１０１へ入射した光は光学系を通り、光電変換を行う撮像素子１１８上で結像される。
【００１８】
制御系は、レンズシステムコントローラ１１６、第一のフラッシュメモリ１１７を有する。第一のフラッシュメモリ１１７はレンズシステムコントローラの内部に組み込まれたメモリ領域であっても良い。
【００１９】
第一のフラッシュメモリ１１７にはレンズユニット１０１のすべてのアクチュエータを制御し、カメラユニット１０２と通信する制御プログラム、及びレンズユニット１０１に関する光学データが格納されている。
【００２０】
制御系は、ズームレンズアクチュエータ１０９、フォーカスレンズアクチュエータ１１１、アイリスアクチュエータ１１０、第一、第二のレンズドライバ回路１１３，１１５、アイリスドライバ回路１１４で構成されている。ズームレンズアクチュエータ１０９は変倍レンズ１０４を駆動し、アイリスアクチュエータ１１０は絞り１０５を駆動し、更にフォーカスレンズアクチュエータ１１１はフォーカスレンズ１０８を駆動する。
【００２１】
第一のレンズドライバ回路１１３はズームレンズアクチュエータ１０９に駆動信号を出力し、第二のレンズドライバ回路１１５はフォーカスレンズアクチュエータ１１１に駆動信号を出力する。更に、アイリスドライバ回路１１４はアイリスアクチュエータ１１０へ駆動信号を出力する。
【００２２】
レンズシステムコントローラ１１６は、前記各ドライバ回路への制御信号の出力制御を
始めとする各種制御（システム制御）を行う。より詳細には、レンズシステムコントローラ１１６は、カメラ本体１０２との通信で得られたズーム方向（望遠または広角）データと変倍速度データ、及びフォーカス評価値から、変倍動作及びフォーカス動作のための制御データを生成する。それから、レンズシステムコントローラ１１６は、生成した制御データを制御信号として第一及び第二のレンズドライバ回路１１３、１１５に出力し、変倍レンズ１０４、フォーカスレンズ１０８を駆動させる。
【００２３】
更に、レンズシステムコントローラ１１６は、カメラ本体１０２との通信で得られた露出評価値から絞り１０５による露出制御データを生成し、制御信号としてアイリスドライバ回路１１４に出力し絞り１０５を駆動させる。
【００２４】
第一のフラッシュメモリ１１７は、フォーカス制御・変倍制御の各種パラメータ、及び調整データを格納する。第一のフラッシュメモリ１１７は、レンズシステムコントローラ１１６とバス接続されていて、必要に応じてレンズシステムコントローラ１１６から読み出される。また、第一のフラッシュメモリ１１７は、レンズシステムコントローラ１１６にて動作する制御プログラム、前記プログラムのバージョン、レンズユニット１０１に関する光学データ、レンズユニット１０１自身を識別する固有識別データを格納し、必要に応じて読み出される。
【００２５】
レンズユニット１０１とカメラユニット１０２の接続部は、レンズ側接点１２７とカメラ側接点１２８によって接続される。接点１２７、１２８の通信端子を介してレンズシステムコントローラ１１６は、後述するカメラシステムコントローラ１２５と通信を行う。この通信により、前述したレンズユニット１０１に関する光学データ、及び固有識別データをカメラ本体１０２に送信する。また、接点１２７、１２８の電源端子を介してカメラ本体１０２からレンズユニット１０１へ電源供給も行う。以上がレンズユニット１０１の構成である。
【００２６】
次にカメラ本体１０２の構成について説明する。カメラ本体１０２は、撮像系と、制御系と、接続部と、表示部とを有する。撮像系は、撮像素子１１８、アナログフロントエンド（ＡＦＥ）回路１１９、カメラ信号処理回路１２１、ＯＳＤ回路１２２、ビデオ信号処理回路１２３を有する。レンズユニット１０１の光学系を通った光は撮像素子１１８上で結像し、光電変換される。変換された電気信号は、タイミングジェネレータ１２０の所定のタイミングで読み出され、ＡＦＥ回路１１９でサンプリング、ゲイン制御、Ａ／Ｄ変換の各処理を行いデジタル信号に変換される。
【００２７】
カメラ信号処理回路１２１は、ＡＦＥ回路１１９が出力したデジタル信号を映像信号に変換し、露出制御に必要な露出評価値、ホワイトバランス制御に必要な色差評価値、さらにフォーカス制御に必要なフォーカス評価値を生成する。また、カメラ信号処理回路１２１は、カメラシステムコントローラ１２５からの要求に応じて、ホワイトバランス、カラーバランス、ガンマをはじめとする画質設定制御を行う。
【００２８】
ＯＳＤ回路１２２はカメラ信号処理回路１２１が出力した映像信号に所定の文字やグラフィック情報を合成し、出力する。ビデオ信号処理回路１２３はＯＳＤ回路１２２が出力した映像信号を所定フォーマットの映像信号にし、外部出力する。
【００２９】
制御系は、レンズユニット検出回路１０４、第二のフラッシュメモリ１２４、カメラシステムコントローラ１２５、操作キー検知回路１２６、外部通信回路１２９、外部メモリ通信部１３１、外部メモリ１３２、入力部１３３を有する。
【００３０】
アクセサリー検出回路１３４は、レンズユニット１０１がカメラ本体１０２に装着されたことを検出し、その情報をカメラシステムコントローラ１２５へ出力する。
【００３１】
第二のフラッシュメモリ１２４は、露出、ホワイトバランス、画質制御の各種パラメータ、調整データ、カメラユニット１０２を制御する制御プログラム、制御データ、及びカメラユニット１０２を識別する識別データを格納する不揮発性メモリである。更にレンズユニット１０１及び、外部メモリ１３２と通信することにより得られる、レンズ識別データ、レンズ制御データ（光学データ等）、レンズ調整データが格納可能である。操作キー検知回路１２６は、ユーザー操作によるキーの状態を検知し、カメラシステムコントローラ１２５に通知する。
【００３２】
カメラシステムコントローラ１２５は、カメラ信号処理回路１２１と第二のフラッシュメモリ１２４とバス接続されている。第二のフラッシュメモリは、カメラシステムコントローラの内部のフラッシュメモリ領域であっても良い。
【００３３】
カメラシステムコントローラ１２５は、カメラ信号処理回路１２１が生成した露出、色差、フォーカスの各評価値の取得や、第２のフラッシュメモリ１２４に格納されている各種パラメータを読み出すことができる。また、カメラシステムコントローラ１２５は、カメラ本体１０２の各種キースイッチの読み取りを操作キー検知回路１２６にて行い、その結果に従い制御内容を切り替える。
【００３４】
外部通信回路１２９は外部のＰＣと接続してデータを送受信する。
【００３５】
外部メモリ１３２とはカードやスティック状のリムーバブルメモリであって、着脱可能に挿入される。外部メモリ１３２は外部メモリ通信部１３１を介してカメラシステムコントローラ１２５に接続されていて、撮影された画像データ、及びカメラユニット１０２を制御する制御プログラムを格納可能である。更に、レンズユニット１０１を制御する制御プログラム、レンズユニット１０１に関する光学データ、レンズユニット１０１自身を識別する固有識別データを格納可能である。
【００３６】
外部メモリ１３２に格納されているデータは、カメラシステムコントロール１２５によって読みだし、及び書き込みが行われる。
【００３７】
入力部１３３は、ユーザーが各種の情報を入力するための部位である。また、表示部は、液晶ディスプレイ１３０からなり、撮像画像の他、各種メッセージを表示する。以上がカメラ・レンズユニットの構成の説明である。
【００３８】
以下、カメラユニット１０２が外部メモリ１３２内部、または第１のフラッシュメモリ１１７内部にある光学データを必要に応じて第二のフラッシュメモリに転送し、レンズユニット１０１を駆動させて撮影を行うシーケンスを説明する。図２はフローチャートである。図３は外部メモリ１３２または第二のフラッシュメモリに記録されているアクセサリー情報である。図４（ａ）（ｂ）、図５（ａ）（ｂ）はデータ転送時の優先順位を示した表である。
【００３９】
ここで図２のフローチャートに従って説明する。まず外部メモリが装着されて、アクセサリーとしてレンズユニット１０１が装着された場合を説明する。カメラユニット１０２に外部メモリ１３２を挿入する（Ｓ１０１）。次にレンズユニット１０１が装着されているかどうかを判断する（Ｓ１０２）。レンズユニット１０１が装着されている場合は、レンズユニット１０１はレンズシステムコントローラ１１６とカメラシステムコントローラ１２５の通信によりレンズ固有識別情報（レンズ名称、ＩＤ、シリアル番号等）を送信する（Ｓ１０３）。
【００４０】
カメラ本体１０２は送信されたレンズ固有識別情報を第二のフラッシュメモリ１２４、又は外部メモリ１３２に記録する。この時に記録した日付、及び装着回数等のデータも一緒に記録する。また装着されたアクセサリーで撮影を行った際には撮影回数も記録する。
【００４１】
ここでレンズユニット１０１が装着されている場合は、装着されたレンズユニット１０１の光学データが第二のフラッシュメモリ１２４に転送済みかどうかを判断する（Ｓ１０４）。もしデータが入っている場合は、カメラ本体は第二のフラッシュメモリ内の光学データを読出し、レンズユニット１０１の駆動を制御して撮影行動を開始する（Ｓ１０６）。この時に、第二のフラッシュメモリに転送されたレンズユニット１０１に関する光学データが複数ある時には、カメラシステムコントローラ１２５はカメラ本体１０２に最適なデータを選択して、レンズユニット１０１を制御する。
【００４２】
ステップＳ１０４において、装着されたレンズユニット１０１の光学データが第二のフラッシュメモリ１２４に転送されていない場合は、外部メモリ１３２に内部にレンズユニット１０１の光学データが格納されているか確認する（Ｓ１０５）。光学データが格納されている場合は、外部メモリ１３２から第二のフラッシュメモリ１２４にデータ転送を行う（Ｓ１０７）。
【００４３】
もし光学データが格納されていない場合は、レンズシステムコントローラ１１６とカメラシステムコントローラ１２５の通信により、第一のフラッシュメモリ１３２から第二のフラッシュメモリ１２４にデータ転送を行う（Ｓ１０８）。
【００４４】
ステップＳ１０７、ステップＳ１０８其々で、データ転送後にカメラ本体は転送されたデータを基にレンズユニット１０１をコントロールして撮影駆動開始する（Ｓ１０６）。この時に、第二のフラッシュメモリに転送されたレンズユニット１０１に関する光学データが複数ある時には、カメラシステムコントローラ１２５はカメラ本体１０２に最適なデータを選択して、レンズユニット１０１を制御する。
【００４５】
次にアクセサリーとしてレンズユニット１０１が装着されていない状態で外部メモリ１３２が装着された場合のシーケンスを説明する。カメラユニット１０２に外部メモリ１３２を挿入する（Ｓ１０１）。
【００４６】
次にレンズユニット１０１が装着されているかどうかを判断する（Ｓ１０２）。レンズユニット１０１が装着されていない場合は、カメラシステムコントローラ１２５は、第二のフラッシュメモリ１２４に光学データが転送されているか確認をする（Ｓ１１３）。転送済みの際にはステップＳ１０２に戻り、アクセサリーが装着されるのを待機する。転送されていない時は、カメラシステムコントローラ１２５は、外部メモリ１３２に格納されているデータ量を確認する。更に第二のフラッシュメモリ１２４の空き容量も確認をする。
【００４７】
次に、第二のフラッシュメモリ１２４の空き容量に、外部メモリ１３２に格納されている全ての光学データが格納可能か判断する（Ｓ１０９）。この際に、第二のフラッシュメモリ１２４の空き容量が大きくて、外部メモリ１３２内の全データを格納可能でも、外部メモリ１３２に格納されているデータ量が膨大で、転送に時間がかかると判断して全データ転送不可と判断する事も考えられる。
【００４８】
転送可能と判断した場合は外部メモリ１３２に記録されていた、全ての光学データを第二のフラッシュメモリ１２４に転送する（Ｓ１１０）。この後はアクセサリーが装着されるのを待機する（Ｓ１０２）。
【００４９】
ステップ１０９において、第二のフラッシュメモリ１２４に外部メモリ１３２に格納されている全ての光学データが格納不可と判断された場合は、カメラ本体１０２は転送するデータの優先順位を割り当てる。この際に、ユーザーがインターフェイス部１３３を使用して、優先順位について設定を入力していないか無いか確認する（Ｓ１１１）。
【００５０】
設定がある際には、ユーザーの設定を最優先とする。優先順位について特にユーザー設定が無い場合は、カメラシステムコントローラによってデフォルト設定を使用する。
【００５１】
また優先順位は様々の方法が考えられるが、ここでは例として幾つか紹介する。パラメータとして最新装着日、頻度（装着頻度）、頻度（撮影頻度）、種類（焦点距離）、種類（開放Ｆ値）とする。また上記パラメータ情報は、ステップＳ１０３で記録されるレンズ固有識別情報を、カメラシステムコントローラ１２５が、第二のフラッシュメモリ１２４、又は外部メモリ１３２より読みだして作成する。（撮影回数は撮影時に記録されるものとする。）
図３は第二のフラッシュメモリ１２４、又は外部メモリ１３２に記録されているアクセサリー情報を示している。図４（ａ）はユーザーにより設定された優先順位である。図４（ａ）で設定された優先順位でデータ転送順位を決定すると、順位は図４（ｂ）のようになる。更に図５（ａ）で設定された優先順位でデータ転送順位を決定すると、順位は図５（ｂ）のようになる。このようにデータ転送順位を決定する（Ｓ１１２）。
【００５２】
ステップＳ１１２で設定された優先順位に従い、データ転送可能な範囲で外部メモリ１３２から第二のフラッシュメモリ１２４にデータを転送する。この後はアクセサリーが装着されるのを待機する（Ｓ１０２）。
【００５３】
以上、本発明の好ましい実施形態について説明したが、本発明はこれらの実施形態に限定されず、その要旨の範囲内で種々の変形及び変更が可能である。
【符号の説明】
【００５４】
１００  カメラ、１０１  レンズユニット、１０２  カメラユニット、
１１６  レンズシステムコントローラ、１１７  第一のフラッシュメモリ、
１２４  第二のフラッシュメモリ、１２５  カメラシステムコントローラ、
１２９  外部通信回路、１３２  外部メモリ、１３４  アクセサリー検出回路
【図１】
2016014799.tif 000003
【図２】
2016014799.tif 000004
【図３】
2016014799.tif 000005
【図４】
2016014799.tif 000006
【図５】
2016014799.tif 000007